(57)【要約】【課題】建造物の出入口の完全な水密性を簡単で廉価な構成で実現できるシート式浸水防止装置を提供する。【解決手段】側壁に水密に固定される第１取付部２０ａ及び第２取付部２０ｂと、上端部がパイプ２４を介して第１取付部２０ａ及び第２取付部２０ｂの係合板４２ａ、４２ｂに係合する防水シート１２と、下端部が固定された防水シート１２を収納する収納部１４と、線状部材を介して連結シート１２ａ、１２ｂ及び防水シート１２の下端部を第１取付部２０ａ、第２取付部２０ｂ及び収納部１４に水密に固定する連結シート押さえ部３２ａ〜３２ｃと、連結シート１２ａ、１２ｂと防水シート１２とを分離可能に連結する水密ファスナ２２ａ、２２ｂと、連結シート押さえ部３２ａ、３２ｂとの干渉を回避する切欠部５４ａ、５４ｂ及びクッション部材５０を介して収納部１４に当接する脚部５２を有し、収納部１４を閉塞する蓋部４８とを備える。【選択図】図１
2014095247.tif 000002
【特許請求の範囲】
【請求項１】
建造物の出入り口の一方の側壁に水密に固定され、上部に第１係合板が配設される第１取付部と、
前記出入り口の他方の側壁に水密に固定され、上部に第２係合板が配設される第２取付部と、
前記第１取付部と前記第２取付部との間に配設され、上端部がパイプを介して前記第１係合板と前記第２係合板とに係合し、前記建造物内への浸水を防止する防水シートと、
前記第１取付部と前記第２取付部とに装着され、前記防水シートの側部に連結される連結シートと、
前記出入り口の床に形成され、前記防水シートの下端部が固定され、前記防水シートを収納する収納部と、
前記第１取付部と前記第２取付部とに配設され、上下方向に延在する線状部材を介して、前記連結シートを押さえ板により前記第１取付部と前記第２取付部とに水密に固定する連結シート押さえ部と、
前記収納部に配設され、水平方向に延在する線状部材を介して、前記防水シートの下端部を押さえ板により前記収納部の内壁に水密に固定する防水シート押さえ部と、
前記各連結シートと前記防水シートとを分離可能に連結する第１水密ファスナと、
前記収納部に取り付けられ、前記連結シート押さえ部との干渉を回避する切欠部が端部に形成され、前記収納部を閉塞する蓋部と、
前記蓋部の所定部位に配設され、前記蓋部により前記収納部が閉塞された状態でクッション部材を介して前記収納部の内壁に当接する脚部と、
を備え、
前記防水シートは、前記第１水密ファスナにより前記各連結シートから分離された状態で前記収納部に収納可能であることを特徴とするシート式浸水防止装置。
【請求項２】
請求項１記載のシート式浸水防止装置において、
前記防水シートは、上端部にパイプが配設される複数のシート部により構成され、前記各シート部の側部同士が第２水密ファスナにより分離可能に連結され、前記各シート部の上端部は、前記出入り口の所定位置に着脱可能に立設される支持柱の係合板に前記パイプを介して係合されることを特徴とするシート式浸水防止装置。
【請求項３】
請求項２記載のシート式浸水防止装置において、
前記第１取付部と、前記第２取付部と、前記支持柱とは、前記出入り口に対して前記防水シートを含む多角形を構成する関係に配置されることを特徴とするシート式浸水防止装置。
【発明の詳細な説明】
【技術分野】
【０００１】
本発明は、建造物の出入り口に設置され、前記建造物内への浸水を防止するシート式浸水防止装置に関する。
【背景技術】
【０００２】
例えば、集中豪雨等により大量の水が発生した場合、家屋、ビル、地下駐車場、地下鉄等の出入り口を介して建造物内に水が浸入するおそれがある。そこで、建造物内への水の浸入を防止するため、これらの出入り口に浸水防止パネルや開閉扉を設置するものがある。
【０００３】
しかしながら、浸水防止パネルは、一般に重量物であり、一人の作業者が容易に設置作業を行うことが難しく、また、使用しない場合の収納場所の問題もある。また、浸水防止パネルの場合、加工及びその据え付けに際しては、止水用ゴムの当たる戸当たりの平面度、側部戸当たりの鉛直度、平行度、及び、底部戸当たりの平面度に対して、高い精度が要求される。これらの精度が悪いと、水密性が低下し、水漏れが発生するおそれがあるためである。開閉扉の場合、装置構成が大型化して設置場所が制約されるだけでなく、高価であり、一般家庭や小規模な建造物には不向きである。
【０００４】
そこで、これらの課題を解決するため、種々の浸水防止装置が開発されている。
【０００５】
例えば、特許文献１に開示された浸水防止装置は、床の収納溝に収納されたシートを、建物の開口部の壁面に形成した支持枠の間を通して引き上げて固定することにより、開口部を閉鎖するように構成されている。特許文献２に開示された浸水防止装置は、間に防水シートが連結された２本の取付け柱を通路開口の床下に寝かせた状態で収納しておき、使用時には、各取付け柱を起立させて通路の壁に固定することで、通路開口を閉鎖するように構成されている。特許文献３に開示された浸水防止装置は、防潮のための装置であり、建物の出入り口の床に収納された止水膜を出入り口の両側の支柱に沿って引き上げ、各支柱に設けた挟持機構により止水膜を挟持して固定することで、出入り口を閉鎖するように構成されている。特許文献４に開示された浸水防止装置は、出入り口の床のピットに収納された防水シートを引き上げ、防水シートの両側部を防水シート押さえにより出入り口の両側の戸当たりに押し付けることで、出入り口を閉鎖するように構成されている。さらに、特許文献５に開示された浸水防止装置は、構築物の通路口の床に中央部シートを収納する一方、通路口の両側部に縁部シートを予め固定しておき、使用時には、中央部シートを引き上げ、その上端部を左右の壁にチェーンを介して固定するとともに、水密ファスナにより中央部シートと縁部シートとを連結させることで、通路口を閉鎖するように構成されている。
【先行技術文献】
【特許文献】
【０００６】
【特許文献１】特開２００１−３４２７８０号公報
【特許文献２】特開２００８−１９０２７６号公報
【特許文献３】特開平７−１７３９５６号公報
【特許文献４】特開２０１１−６９０９１号公報
【特許文献５】特開２００１−１８２４５２号公報
【発明の概要】
【発明が解決しようとする課題】
【０００７】
しかしながら、特許文献１の場合、シートの両側部を支持枠により支持しているだけであり、支持枠とシートの間より水が浸入するおそれがある。特許文献２は、取付け柱を起立させて通路の壁に固定する際、壁と取付け柱との間の完全な水密性を実現できる構成にする必要がある。この場合、取付け柱を着脱自在として、且つ、高い水密性を維持することは、技術的に困難である。特許文献３は、止水膜と支柱との間の水密性を実現するため、ローラを用いた挟持機構により止水膜を支柱に押し当てるようにしており、構成が極めて複雑であり、しかも、この構成で完全な水密性を実現することも困難である。特許文献４は、防水シートの両側部を戸当たりに押し付ける機構を採用しているが、この場合も完全な水密性を維持する点で課題がある。さらに、特許文献５の場合、通路口の両側部に予め固定されている縁部シートは、押さえ金具により構造物に押し付けられているだけであり、十分な水密性が得られる構造とは言えない。また、中央部シートは、補強のために左右の壁にチェーンを用いて固定しており、構成が複雑になってしまう。
【０００８】
本発明は、前記の不具合を解消するためになされたものであって、建造物の出入り口に対して、防水シートを極めて容易且つ短時間で取り付けることができるとともに、完全な水密性を簡単で廉価な構成により実現することのできるシート式浸水防止装置を提供することを目的とする。
【課題を解決するための手段】
【０００９】
本発明に係るシート式浸水防止装置は、建造物の出入り口の一方の側壁に水密に固定され、上部に第１係合板が配設される第１取付部と、前記出入り口の他方の側壁に水密に固定され、上部に第２係合板が配設される第２取付部と、前記第１取付部と前記第２取付部との間に配設され、上端部がパイプを介して前記第１係合板と前記第２係合板とに係合し、前記建造物内への浸水を防止する防水シートと、前記第１取付部と前記第２取付部とに装着され、前記防水シートの側部に連結される連結シートと、前記出入り口の床に形成され、前記防水シートの下端部が固定され、前記防水シートを収納する収納部と、前記第１取付部と前記第２取付部とに配設され、上下方向に延在する線状部材を介して、前記連結シートを押さえ板により前記第１取付部と前記第２取付部とに水密に固定する連結シート押さえ部と、前記収納部に配設され、水平方向に延在する線状部材を介して、前記防水シートの下端部を押さえ板により前記収納部の内壁に水密に固定する防水シート押さえ部と、前記各連結シートと前記防水シートとを分離可能に連結する第１水密ファスナと、前記収納部に取り付けられ、前記連結シート押さえ部との干渉を回避する切欠部が端部に形成され、前記収納部を閉塞する蓋部と、前記蓋部の所定部位に配設され、前記蓋部により前記収納部が閉塞された状態でクッション部材を介して前記収納部の内壁に当接する脚部と、を備え、前記防水シートは、前記第１水密ファスナにより前記各連結シートから分離された状態で前記収納部に収納可能であることを特徴とする。
【００１０】
前記シート式浸水防止装置において、前記防水シートは、上端部にパイプが配設される複数のシート部により構成され、前記各シート部の側部同士が第２水密ファスナにより分離可能に連結され、前記各シート部の上端部は、前記出入り口の所定位置に着脱可能に立設される支持柱の係合板に前記パイプを介して係合されることを特徴とする。
【００１１】
また、前記シート式浸水防止装置において、前記第１取付部と、前記第２取付部と、前記支持柱とは、前記出入り口に対して前記防水シートを含む多角形を構成する関係に配置されることを特徴とする。
【発明の効果】
【００１２】
本発明のシート式浸水防止装置では、収納部に収納された防水シートを引き上げ、その上端部のパイプを第１取付部の第１係合板と第２取付部の第２係合板とに係合させ、第１水密ファスナにより各連結シートと防水シートとを連結させることにより、極めて容易且つ短時間で防水シートを取り付けることができる。
【００１３】
また、防水シートは、第１取付部及び第２取付部に対して、第１水密ファスナを介して各連結シートに連結されているため、第１取付部及び第２取付部に対する防水シートの高い取り付け精度が要求されることがなく、容易に高い水密性が確保される。
【００１４】
また、防水シートに連結される連結シートは、線状部材を介して押さえ板により第１取付部及び第２取付部に水密な状態で固定され、また、防水シートの下端部も同様の構成により水密な状態で収納部に固定される。従って、第１取付部及び第２取付部と連結シートとの間、及び、収納部と防水シートの下端部との間の水密性は、確実に保証され、しかも、簡単で廉価な構成により実現することができる。
【００１５】
また、収納部を閉塞する蓋部の端部には、切欠部が形成されているため、防水シートを収納した収納部を蓋部により閉塞させた状態において、連結シート押さえ部と蓋部との干渉を回避することができる。さらに、蓋部には、クッション部材を介して収納部の内壁に当接する脚部が配設されているため、閉塞状態の蓋部の上を人や物が通過する際の騒音の発生を抑えることができる。
【００１６】
また、本発明のシート式浸水防止装置は、防水シートを第２水密ファスナにより分離可能な複数のシート部で構成することにより、間口の広い出入り口に対しても適用することができる。
【００１７】
さらに、本発明のシート式浸水防止装置は、第１取付部と第２取付部との間に支持柱を立設し、第１取付部、第２取付部及び支持柱を、防水シートを含む多角形を構成する関係に配置することにより、外側に突出した形態の出入り口や外側に開くドアを有する出入り口に対しても適用することができる。
【００１８】
本発明のシート式浸水防止装置は、第１取付部及び第２取付部を建造物の側壁に水密に固定し、出入り口の床に収納部を設けるだけでよく、従って、既設の建造物の出入り口に対して、容易に設置することができる。
【図面の簡単な説明】
【００１９】
【図１】図１Ａは、防水状態に設定された第１実施形態のシート式浸水防止装置の斜視図、図１Ｂは、防水シートが収納部に収納されている第１実施形態のシート式浸水防止装置の斜視図である。
【図２】使用していない状態における第１実施形態のシート式浸水防止装置の斜視図である。
【図３】図３Ａは、防水状態に設定された第１実施形態のシート式浸水防止装置の正面断面図、図３Ｂは、防水シートが収納部に収納されている第１実施形態のシート式浸水防止装置の正面断面図である。
【図４】図４Ａは、第１実施形態のシート式浸水防止装置における連結シート押さえ部の図３Ａに示すIVA−IVA線断面図、図４Ｂは、図４Ａに示す連結シート押さえ部の正面図、図４Ｃは、収納部に収納されている防水シート及び防水シート押さえ部の図３Ａに示すIVC−IVC線断面図である。
【図５】図５Ａは、防水状態に設定された第２実施形態のシート式浸水防止装置の平面図、図５Ｂは、防水状態に設定された第２実施形態のシート式浸水防止装置の正面断面図である。
【図６】図６Ａは、防水状態に設定された第３実施形態のシート式浸水防止装置の斜視図、図６Ｂは、防水状態に設定された第３実施形態のシート式浸水防止装置の平面図である。
【発明を実施するための形態】
【００２０】
以下、本発明の実施形態について図面を参照して説明する。
【００２１】
＜シート式浸水防止装置１０の構成の説明＞
図１Ａは、防水状態に設定された第１実施形態のシート式浸水防止装置１０の斜視図、図１Ｂは、防水シート１２が収納部１４に収納されている第１実施形態のシート式浸水防止装置１０の斜視図である。図２は、使用していない状態における第１実施形態のシート式浸水防止装置１０の斜視図である。図３Ａは、防水状態に設定された第１実施形態のシート式浸水防止装置１０の正面断面図、図３Ｂは、防水シート１２が収納部１４に収納されている第１実施形態のシート式浸水防止装置１０の正面断面図である。
【００２２】
シート式浸水防止装置１０は、建造物の出入り口の外側部分に設置される。この場合、出入り口には、横方向に移動させることで出入り口を開閉するドア１６ａ、１６ｂが配設されている。
【００２３】
シート式浸水防止装置１０は、第１取付部２０ａと、第２取付部２０ｂと、防水シート１２と、水密ファスナ２２ａ、２２ｂと、連結シート押さえ部３２ａ、３２ｂと、収納部１４と、防水シート押さえ部３２ｃとを備える。
【００２４】
第１取付部２０ａは、建造物の出入り口の一方の側壁１８ａに水密に固定される本体部２６ａと、本体部２６ａにヒンジ２８ａを介して連結される蓋部３０ａとを備える。本体部２６ａには、上下方向に延在する連結シート１２ａを本体部２６ａに水密に固定する連結シート押さえ部３２ａが配設される。本体部２６ａの上部には、防水シート１２の上端部２７に装着されたパイプ２４の一端部が係合する係合板４２ａ（第１係合板）及びブラケット４４ａが配設される（図１Ａ、図３Ａ）。ブラケット４４ａは、係合板４２ａに係合するパイプ２４の長手方向に対する位置ずれを規制する。
【００２５】
第２取付部２０ｂは、建造物の出入り口の他方の側壁１８ｂに水密に固定される本体部２６ｂと、本体部２６ｂにヒンジ２８ｂを介して連結される蓋部３０ｂとを備える。本体部２６ｂには、上下方向に延在する連結シート１２ｂを本体部２６ｂに水密に固定する連結シート押さえ部３２ｂが配設される。本体部２６ｂの上部には、パイプ２４の他端部が係合する係合板４２ｂ（第２係合板）及びブラケット４４ｂが配設される。
【００２６】
防水シート１２は、第１取付部２０ａと第２取付部２０ｂとの間に配設される。防水シート１２の両側部には、第１取付部２０ａ及び第２取付部２０ｂに固定される連結シート１２ａ、１２ｂが連結される。防水シート１２と各連結シート１２ａ、１２ｂとは、下端側で連通する１枚のシートから構成される。防水シート１２の両側部と各連結シート１２ａ、１２ｂとは、水密ファスナ２２ａ、２２ｂ（第１水密ファスナ）により分離可能な状態で連結される。防水シート１２の上端部２７には、十分な強度を備えた、例えば、金属からなる円筒状のパイプ２４が挿入される。パイプ２４は、両端部が上端部２７の両側に所定量突出する。
【００２７】
水密ファスナ２２ａ、２２ｂは、スライダ２３ａ、２３ｂ及び連結要素２５ａ、２５ｂを備える。水密ファスナ２２ａ、２２ｂは、スライダ２３ａ、２３ｂを連結要素２５ａ、２５ｂに沿って上又は下に移動させることで、防水シート１２と各連結シート１２ａ、１２ｂとを連結し、又は、分離する。この場合、連結要素２５ａの一方が連結シート１２ａに固定され、連結要素２５ａの他方が防水シート１２の一方の側部に固定される。同様に、連結要素２５ｂの一方が連結シート１２ｂに固定され、連結要素２５ｂの他方が防水シート１２の他方の側部に固定される。
【００２８】
図４Ａは、第１実施形態のシート式浸水防止装置１０における連結シート押さえ部３２ａの図３Ａに示すIVA−IVA線断面図である。図４Ｂは、図４Ａに示す連結シート押さえ部３２ａの正面図である。
【００２９】
本体部２６ａに配設される連結シート押さえ部３２ａは、２本の線状部材３４ａ、３６ａと、押さえ板３８ａと、複数のボルト４０ａとを備える。押さえ板３８ａは、上下方向に延在する。押さえ板３８ａには、２本の線状部材３４ａ、３６ａが当接する。線状部材３４ａ、３６ａは、水平方向に所定距離離間し、互いに平行で上下方向に延在する。連結シート１２ａは、線状部材３４ａ、３６ａを介して、押さえ板３８ａと本体部２６ａとの間に配設される。連結シート１２ａは、押さえ板３８ａ側から本体部２６ａに複数のボルト４０ａを螺合させることで、本体部２６ａと押さえ板３８ａとの間に挟持される。本体部２６ｂに配設される連結シート押さえ部３２ｂは、連結シート押さえ部３２ａと同じ構成であるため、その説明を省略する。
【００３０】
収納部１４は、第１取付部２０ａと第２取付部２０ｂとの間の出入り口の床に形成され、水密ファスナ２２ａ、２２ｂにより連結シート１２ａ、１２ｂから分離された状態の防水シート１２を収納する。
【００３１】
収納部１４の上部には、ヒンジ４６を介して連結される蓋部４８が取り付けられる。蓋部４８は、収納部１４が閉塞された状態において、収納部１４の内壁にクッション部材５０を介して当接する複数の脚部５２を有する。また、蓋部４８の長手方向両端部には、収納部１４が閉塞された状態において、第１取付部２０ａ及び第２取付部２０ｂから収納部１４内に延在する連結シート押さえ部３２ａ、３２ｂとの干渉を回避するための切欠部５４ａ、５４ｂが形成される（図１Ａ、図１Ｂ、図２）。
【００３２】
図４Ｃは、収納部１４に収納されている防水シート１２及び防水シート押さえ部３２ｃの図３Ａに示すIVC−IVC線断面図である。防水シート押さえ部３２ｃは、２本の線状部材３４ｃ、３６ｃと、押さえ板３８ｃと、複数のボルト４０ｃとを備える。押さえ板３８ｃは、水平方向に延在する（図３Ａ）。押さえ板３８ｃには、２本の線状部材３４ｃ、３６ｃが当接する。線状部材３４ｃ、３６ｃは、上下方向に所定距離離間し、互いに平行で水平方向に延在する。防水シート１２の下端部２９は、線状部材３４ｃ、３６ｃを介して、押さえ板３８ｃと収納部１４の内壁との間に配設される。下端部２９は、押さえ板３８ｃ側から収納部１４の内壁に複数のボルト４０ｃを螺合させることで、前記内壁と押さえ板３８ｃとの間に挟持される。
【００３３】
＜シート式浸水防止装置１０の使用に関する説明＞
シート式浸水防止装置１０を使用しない場合、作業者は、水密ファスナ２２ａ、２２ｂのスライダ２３ａ、２３ｂを引き下げ、連結要素２５ａ、２５ｂによる係合を解除させる。これにより、防水シート１２と連結シート１２ａ、１２ｂとが分離される。次いで、パイプ２４が係合板４２ａ、４２ｂから取り外され、パイプ２４を中心に防水シート１２が巻回され、収納部１４に収納される（図１Ｂ）。この場合、連結シート１２ａ、１２ｂは、第１取付部２０ａ及び第２取付部２０ｂの連結シート押さえ部３２ａ、３２ｂに残っており、防水シート１２のみが収納部１４に収納される。従って、作業者は、スライダ２３ａ、２３ｂを下方向に移動させた後、防水シート１２を収納部１４に収納するだけの作業で、建造物の出入り口を迅速に開放することができる。しかも、この作業は、一人で容易に行うことができる。
【００３４】
次いで、作業者は、収納部１４の蓋部４８と、第１取付部２０ａ及び第２取付部２０ｂの蓋部３０ａ、３０ｂとを閉じる（図２、図４Ｃ）。この場合、収納部１４の蓋部４８には、切欠部５４ａ、５４ｂが形成されている。従って、蓋部４８は、下端部側が収納部１４内に延在する連結シート押さえ部３２ａ、３２ｂ（図１Ｂ）に干渉することなく、収納部１４を閉塞させることができる。
【００３５】
蓋部４８により収納部１４が閉塞された状態において、人等は、ドア１６ａ、１６ｂを介して出入り口を自由に通行することができる。この場合、収納部１４の蓋部４８は、図４Ｃに示すように、脚部５２によって収納部１４の内壁に支持されているため、十分な強度が確保されている。従って、蓋部４８が湾曲したり、変形してしまうおそれはない。また、脚部５２の下端部には、ゴム等からなるクッション部材５０が配設されている。そのため、蓋部４８の上を人が歩いた場合に、脚部５２が収納部１４の内壁に直接当たることがなく、騒音の発生を防ぐことができる。
【００３６】
次に、豪雨等に対処するため、シート式浸水防止装置１０の防水シート１２を出入り口に取り付ける場合について説明する。
【００３７】
先ず、作業者は、第１取付部２０ａ及び第２取付部２０ｂの蓋部３０ａ、３０ｂを開き、次いで、収納部１４の蓋部４８を開く（図１Ｂ、図３Ｂ）。次に、作業者は、パイプ２４の両端部を把持して防水シート１２を収納部１４から引き上げる。次いで、作業者は、防水シート１２の上端部２７に配設されているパイプ２４の両端部を本体部２６ａ、２６ｂの係合板４２ａ、４２ｂに係合させる。そして、作業者は、水密ファスナ２２ａのスライダ２３ａと、水密ファスナ２２ｂのスライダ２３ｂとを引き上げる。スライダ２３ａ、２３ｂが引き上げられることにより、連結要素２５ａ、２５ｂが係合し、連結シート１２ａ、１２ｂと防水シート１２とが連結される。これで防水シート１２の装着作業が終了し、豪雨等に対する処置が完了する（図１Ａ、図３Ａ）。
【００３８】
この場合、作業者は、防水シート１２を収納部１４から引き上げ、水密ファスナ２２ａ、２２ｂのスライダ２３ａ、２３ｂを引き上げるという極めて簡単な作業を行うだけでよく、一人の作業者がその作業を容易に遂行することができる。また、防水シート１２は、上端部２７のパイプ２４の両端部を係合板４２ａ、４２ｂに係合するだけで本体部２６ａ、２６ｂに保持させることができるため、取り付けの作業も極めて容易である。
【００３９】
さらに、防水シート１２の両側部に連結される連結シート１２ａ、１２ｂは、連結シート押さえ部３２ａ、３２ｂにより垂直方向に水密に固定されている。すなわち、連結シート１２ａ、１２ｂの左右には、上下方向の全範囲に亘って線状部材３４ａ、３６ａ、３４ｂ、３６ｂが当接しており、これらの線状部材３４ａ、３６ａ、３４ｂ、３６ｂを介して、押さえ板３８ａ、３８ｂが複数のボルト４０ａ、４０ｂにより固定されている。従って、連結シート１２ａ、１２ｂは、第１取付部２０ａ及び第２取付部２０ｂの本体部２６ａ、２６ｂと、押さえ板３８ａ、３８ｂとの間に隙間なく挟持されて固定される。そのため、第１取付部２０ａ及び第２取付部２０ｂの部分からドア１６ａ、１６ｂ側に水が浸入するおそれは全くない。しかも、連結シート１２ａ、１２ｂと防水シート１２とは、水密ファスナ２２ａ、２２ｂによって連結されている。この場合、防水シート１２の上端部２７が第１取付部２０ａ及び第２取付部２０ｂの係合板４２ａ、４２ｂに係合しているため、水圧によって防水シート１２が変形するような場合であっても、防水シート１２が脱落してしまう事態が生じることはない。また、防水シート１２の下端部２９は、連結シート押さえ部３２ａ、３２ｂと同様の構成からなる防水シート押さえ部３２ｃにより、水平方向に水密に固定されている（図４Ｃ）。従って、防水シート１２の下端部２９からドア１６ａ、１６ｂ側に水が浸入するおそれも全くない。この結果、シート式浸水防止装置１０は、出入り口に対する水の浸入を確実に阻止することができる。
【００４０】
＜シート式浸水防止装置６０の構成の説明＞
図５Ａは、防水状態に設定された第２実施形態のシート式浸水防止装置６０の平面図、図５Ｂは、防水状態に設定された第２実施形態のシート式浸水防止装置６０の正面断面図である。第１実施形態のシート式浸水防止装置１０と同一の構成要素には、同一の参照符号を付し、その詳細な説明は省略する。
【００４１】
シート式浸水防止装置６０を構成する防水シート６２は、中央で分離可能に連結される２つのシート部６２ｃ、６２ｄから構成される。シート部６２ｃ、６２ｄの各側部には、連結シート押さえ部３２ａ、３２ｂにより第１取付部２０ａ及び第２取付部２０ｂに水密に固定される連結シート６２ａ、６２ｂが連結される。防水シート６２は、連結シート６２ａ、６２ｂとシート部６２ｃ、６２ｄとを下端部６３側で連通する１枚のシートから構成される。防水シート６２の下端部６３は、防水シート押さえ部３２ｃにより収納部６４の内壁に水密に固定される。連結シート６２ａとシート部６２ｃとの側部同士、シート部６２ｃとシート部６２ｄとの側部同士、及び、シート部６２ｄと連結シート６２ｂとの側部同士は、水密ファスナ６６ａ、６６ｂ（第２水密ファスナ）及び６６ｃにより分離可能な状態で連結される。シート部６２ｃ、６２ｄの上端部６５ｃ、６５ｄには、パイプ６８、７０が挿入される。なお、水密ファスナ６６ａ〜６６ｃの数は、防水シート６２の上端部６５ｃ、６５ｄを支持するパイプ６８、７０の本数に１を加算した数となる。各パイプ６８、７０は、各両端部が上端部６５ｃ、６５ｄの両側に所定量突出する。シート部６２ｃ、６２ｄは、シート式浸水防止装置６０を使用しない場合、収納部６４に収納される。
【００４２】
第１取付部２０ａと第２取付部２０ｂとの間の床には、出入り口に対して着脱可能な支持柱７２が立設される。支持柱７２の上部には、対向するパイプ６８、７０の各端部が係合する係合板７４が配設される。なお、支持柱７２の数は、分割されたシート部６２ｃ、６２ｄの数から１を減算した数となる。
【００４３】
＜シート式浸水防止装置６０の使用に関する説明＞
シート式浸水防止装置６０を使用しない場合、作業者は、水密ファスナ６６ａ〜６６ｃのスライダ６９ａ〜６９ｃを引き下げ、連結要素７１ａ〜７１ｃによる係合を解除させる。これにより、連結シート６２ａとシート部６２ｃ、シート部６２ｃとシート部６２ｄ、及び、シート部６２ｄと連結シート６２ｂがそれぞれ分離される。次いで、各パイプ６８、７０が係合板４２ａ、７４及び４２ｂから取り外され、パイプ６８、７０を中心に各シート部６２ｃ、６２ｄが巻回され、収納部６４に収納される。そして、作業者は、収納部６４の蓋部７６と、第１取付部２０ａ及び第２取付部２０ｂの蓋部３０ａ、３０ｂとを閉じる。この場合、蓋部７６の両端部には、切欠部７８ａ、７８ｂが形成されている。従って、蓋部７６は、連結シート押さえ部３２ａ、３２ｂに干渉することなく、収納部６４を閉塞させることができる。なお、第１取付部２０ａと第２取付部２０ｂとの間の支持柱７２は、床から抜き取り、シート部６２ｃ、６２ｄとともに収納部６４に収納させることができる。
【００４４】
このようにして、２個所のシート部６２ｃ、６２ｄを収納部６４に収納しておくことにより、出入り口に広い間口を確保することができる。
【００４５】
一方、シート式浸水防止装置６０の防水シート６２を出入り口に取り付ける場合、作業者は、第１取付部２０ａ及び第２取付部２０ｂの蓋部３０ａ、３０ｂと、収納部６４の蓋部７６とを開く。そして、収納部６４に収納されている支持柱７２を第１取付部２０ａと第２取付部２０ｂとの間の出入り口の床の所定位置に立設する。次いで、作業者は、パイプ６８の両端部を把持してシート部６２ｃを収納部６４から引き上げる。次いで、作業者は、上端部６５ｃに配設されているパイプ６８の両端部を、第１取付部２０ａの係合板４２ａと、支持柱７２の係合板７４とに係合させる。同様にして、パイプ７０の両端部を把持してシート部６２ｄを収納部６４から引き上げ、上端部６５ｄに配設されているパイプ７０の両端部を、第２取付部２０ｂの係合板４２ｂと、支持柱７２の係合板７４とに係合させる。そして、水密ファスナ６６ａ〜６６ｃのスライダ６９ａ、６９ｂを引き上げる。この結果、水密ファスナ６６ａ〜６６ｃの連結要素７１ａ〜７１ｃが係合し、連結シート押さえ部３２ａに固定されている連結シート６２ａと、シート部６２ｃと、シート部６２ｄと、連結シート押さえ部３２ｂに固定されている連結シート６２ｂとが水密な状態で連結され、防水シート６２の装着作業が終了する（図５Ｂ）。
【００４６】
この場合、作業者は、２つに分離された防水シート６２の各シート部６２ｃ、６２ｄを収納部６４から別々に引き上げて、第１取付部２０ａと支持柱７２との間、及び、第２取付部２０ｂと支持柱７２との間にそれぞれ装着することができる。従って、シート式浸水防止装置６０を間口の広い出入り口に適用する場合であっても、取り扱う各シート部６２ｃ、６２ｄの重量を、間口の狭いシート式浸水防止装置１０（図１Ａ）の防水シート１２の重量に匹敵する軽量なものとすることができる。この結果、作業者は、シート部６２ｃ、６２ｄの取り付け作業を極めて容易に行うことができる。なお、防水シート６２の水圧に対する耐久性は、幅が防水シート６２の略半分である各シート部６２ｃ、６２ｄによって確保されるため、１つの防水シート６２で構成する場合と比較すると、防水シート６２に過大な耐久性が要求されることがない。
【００４７】
＜シート式浸水防止装置８０の構成の説明＞
図６Ａは、防水状態に設定された第３実施形態のシート式浸水防止装置８０の斜視図、図６Ｂは、防水状態に設定された第３実施形態のシート式浸水防止装置８０の平面図である。第２実施形態のシート式浸水防止装置６０と同一の構成要素には、同一の参照符号を付し、その詳細な説明は省略する。
【００４８】
シート式浸水防止装置８０は、図６Ａ及び図６Ｂの点線の矢印で示すように、外開きの回動式のドア８２ａ、８２ｂを有する出入り口に適用されるものである。シート式浸水防止装置８０は、ドア８２ａ、８２ｂの可動範囲を確保することのできる多角形を構成する略コ字状の形態に設定される。
【００４９】
シート式浸水防止装置８０を構成する防水シート８４は、分離可能に連結される４つのシート部８４ｃ〜８４ｆから構成される。シート部８４ｃ及び８４ｆの各側部には、連結シート押さえ部３２ａ、３２ｂ（図６Ｂ）により第１取付部２０ａ及び第２取付部２０ｂに水密に固定される連結シート８４ａ、８４ｂが連結される。防水シート８４は、連結シート８４ａ、８４ｂとシート部８４ｃ〜８４ｆとを下端部８５側で連通する１枚のシートから構成される。防水シート８４の下端部８５は、防水シート押さえ部８６ａ〜８６ｃにより収納部８８ａ〜８８ｃの内壁に水密に固定される。連結シート８４ａ、８４ｂ及びシート部８４ｃ〜８４ｆは、水密ファスナ９０ａ〜９０ｅにより水平方向に分離可能な状態で連結される。シート部８４ｃ〜８４ｆの上端部８７ｃ〜８７ｆには、パイプ９２、９４、９６、９８が挿入される。なお、水密ファスナ９０ａ〜９０ｅの数は、防水シート８４の上端部８７ｃ〜８７ｆを支持するパイプ９２、９４、９６、９８の本数に１を加算した数となる。各パイプ９２、９４、９６、９８は、各両端部が上端部８７ｃ〜８７ｆの両側に所定量突出する。シート部８４ｃは、収納部８８ａに収納され、シート部８４ｄ、８４ｅは、収納部８８ｂに収納され、シート部８４ｆは、収納部８８ｃに収納される。
【００５０】
シート部８４ｃ、８４ｄ間、シート部８４ｄ、８４ｅ間、及び、シート部８４ｅ、８４ｆ間の床には、出入り口に対して着脱可能な支持柱１００ａ〜１００ｃが立設される。なお、支持柱１００ａ〜１００ｃの数は、分割されたシート部８４ｃ〜８４ｆの数から１を減算した数となる。また、支持柱１００ａ〜１００ｃを立設する位置は、ドア８２ａ、８２ｂの可動範囲を考慮して設定される。従って、第１取付部２０ａと第２取付部２０ｂと支持柱１００ａ〜１００ｃとは、通路に対して防水シート８４を含む多角形を構成する関係に配置される。支持柱１００ａの上部には、パイプ９２及び９４の各端部が係合する係合板１０２ａ及び１０２ｂが配設される。支持柱１００ｂの上部には、パイプ９４及び９６の各端部が係合する係合板１０２ｃが配設される。支持柱１００ｃの上部には、パイプ９６及び９８の各端部が係合する係合板１０２ｄ及び１０２ｅが配設される。
【００５１】
＜シート式浸水防止装置８０の使用に関する説明＞
シート式浸水防止装置８０を使用しない場合、作業者は、水密ファスナ９０ａ〜９０ｅのスライダ９１ａ〜９１ｅを引き下げ、連結要素９３ａ〜９３ｅによる係合を解除させる。これにより、連結シート８４ａ、８４ｂ、シート部８４ｃ〜８４ｆがそれぞれ分離される。次いで、各パイプ９２、９４、９６、９８が係合板４２ａ、１０２ａ〜１０２ｅ及び４２ｂから取り外される。その後、パイプ９２を中心にシート部８４ｃが巻回されて収納部８８ａに収納され、パイプ９４、９６を中心にシート部８４ｄ、８４ｅが巻回されて収納部８８ｂに収納され、パイプ９８を中心にシート部８４ｆが巻回されて収納部８８ｃに収納される。そして、作業者は、収納部８８ａ〜８８ｃの蓋部１０４ａ〜１０４ｃと、第１取付部２０ａ及び第２取付部２０ｂの蓋部３０ａ、３０ｂとを閉じる。この場合、収納部８８ａの蓋部１０４ａの端部と、収納部８８ｃの蓋部１０４ｃの端部とには、切欠部１０６及び１０８がそれぞれ形成されている。従って、蓋部１０４ａ及び１０４ｃは、連結シート押さえ部３２ａ、３２ｂに干渉することなく、収納部８８ａ及び８８ｃを閉塞させることができる。なお、各支持柱１００ａ〜１００ｃは、床から抜き取り、シート部８４ｃ〜８４ｆとともに収納部８８ａ〜８８ｃに収納させることができる。
【００５２】
シート式浸水防止装置８０の防水シート８４を出入り口に取り付ける場合、作業者は、第２実施形態のシート式浸水防止装置６０と同様に、支持柱１００ａ〜１００ｃを出入り口の床の所定位置に立設する。次いで、作業者は、各パイプ９２、９４、９６、９８の両端部を把持してシート部８４ｃ〜８４ｆを収納部８８ａ〜８８ｃから引き上げる。次に、作業者は、上端部８７ｃ〜８７ｆに配設されているパイプ９２、９４、９６、９８の各両端部を、第１取付部２０ａ、支持柱１００ａ〜１００ｃ及び第２取付部２０ｂの各係合板４２ａ、１０２ａ〜１００ｅ及び４２ｂに係合させる。そして、水密ファスナ９０ａ〜９０ｅのスライダ９１ａ〜９１ｅを引き上げる。この結果、水密ファスナ９０ａ〜９０ｅの連結要素９３ａ〜９３ｃが係合し、防水シート８４が１枚のコ字状に設定された状態となり、防水シート８４の装着作業が終了する（図６Ａ）。
【００５３】
この場合、作業者は、防水シート８４の各シート部８４ｃ〜８４ｆを収納部８８ａ〜８８ｃから別々に引き上げ、容易に装着作業を行うことができる。また、防水シート８４は、コ字状に配置されるため、図６Ａ、図６Ｂに示すドア８２ａ、８２ｂの可動範囲を確保した状態で、浸水防止を図ることができる。
【００５４】
なお、本発明は、上述した実施の形態に限定されるものではなく、本発明の主旨を逸脱しない範囲で変更することが可能である。
【００５５】
本実施形態では、防水シートの材料について特に規定していないが、想定される水深や水圧を考慮して、水平方向の水圧に十分に耐えることのできる材料を選択することが望ましい。
【００５６】
本実施形態では、防水シートは、パイプに巻回させた状態で収納部に収納させるものとしているが、収納部に収納できる形態であれば、これに限定されるものではなく、例えば、折り畳んだ状態で収納部に収納してもよい。
【００５７】
本実施形態では、防水シートの上端部に配設されるパイプを円筒状の金属としているが、必要な強度が得られるものであれば、これに限定されるものではなく、使用目的に応じて、例えば、炭素繊維、樹脂材料、角柱形状等、種々の材質や形状のものを適用することができる。なお、１本のパイプの長さは、３ｍ以内に設定することが好ましい。
【００５８】
本実施形態では、防水シートの上端部のパイプを係合させるために、係合板を配設しているが、防水シートの上端部を支持できるものであれば、これに限定されるものではなく、例えば、係合板に代えて、パイプの端部を係合保持するチャック機構等を適用することもできる。
【００５９】
また、前記係合板は、防水シートの上端部のパイプが脱落しない機能を有していることが望ましい。従って、係合板は、第１取付部及び第２取付部側に所定角度傾斜して設定することが好ましい。また、係合板の上面に対して、パイプを係止させることのできる摩擦部材を配設してもよい。
【００６０】
本実施形態では、防水シートの装着位置について特に規定していないが、一人の作業者が防水シートを収納部から引き上げ、第１取付部及び第２取付部の係合板に係合させるためには、適応させる水面高さにもよるが、作業者の身長を考慮した高さに設定することが好ましい。防水シートの高さは、例えば、人の平均的な身長を考慮して、１５０ｃｍ以内に設定すると好適である。
【００６１】
第２実施形態では、防水シートを２つのシート部に分割しているが、通路の間口の広さ、作業性を考慮した各シート部の重量等に応じた分割数であれば、２分割に限定されるものではなく、例えば、３分割以上とすることもできる。なお、各シート部の上端部に配設されるパイプの重量を加算した各シート部の重量は、一人の作業者が防水シートを比較的容易に引き上げることのできる範囲として、例えば、２０ｋｇ以下となるように、分割数やシート部の材料を適宜選択することが好ましい。また、分割数を決める際、シート部の幅が高さの半分以上の長さとなるように設定することが好ましい。
【００６２】
第２実施形態及び第３実施形態では、防水シートの上端部を支持する支持柱を床に対して着脱自在に構成しているが、シート式浸水防止装置を使用しない状態において、通行を妨げないものであれば、これに限定されるものではない。例えば、シート式浸水防止装置を使用しない場合、床に横臥状態に配置可能な形態、床の鉛直下方向にスライドさせて収納する形態等を適用することができる。
【００６３】
第３実施形態では、防水シートを略コ字状の形態に設定しているが、出入り口に配設されるドア等の建造物の形状、可動範囲等を阻害しない形態であれば、これに限定されるものではない。例えば、第３実施形態では、防水シートにより方形状の領域を確保しているが、出入り口に対して多角形を構成する関係となるように、防水シート及び支持柱の配置を選択することができる。なお、防水シートを構成する隣接するシート部間の角度は、角度をθとすると、５０°＜θ＜１８０°の範囲で選択することが可能である。
【符号の説明】
【００６４】
１０、６０、８０…シート式浸水防止装置
１２、６２、８４…防水シート
１２ａ、１２ｂ、６２ａ、６２ｂ、８４ａ、８４ｂ…連結シート
１４、６４、８８ａ〜８８ｃ…収納部
１６ａ、１６ｂ、８２ａ、８２ｂ…ドア
１８ａ、１８ｂ…側壁
２０ａ…第１取付部
２０ｂ…第２取付部
２２ａ、２２ｂ、６６ａ〜６６ｃ、９０ａ〜９０ｅ…水密ファスナ
２３ａ、２３ｂ、６９ａ〜６９ｃ、９１ａ〜９１ｅ…スライダ
２４、６８、７０、９２、９４、９６、９８…パイプ
２５ａ、２５ｂ、７１ａ〜７１ｃ、９３ａ〜９３ｅ…連結要素
２６ａ、２６ｂ…本体部
２７、６５ｃ、６５ｄ、８７ｃ〜８７ｆ…上端部
２８ａ、２８ｂ、４６…ヒンジ
２９、６３、８５…下端部
３０ａ、３０ｂ、４８、７６、１０４ａ〜１０４ｃ…蓋部
３２ａ、３２ｂ…連結シート押さえ部
３２ｃ、８６ａ〜８６ｃ…防水シート押さえ部
３４ａ〜３４ｃ、３６ａ〜３６ｃ…線状部材
３８ａ〜３８ｃ…押さえ板
４０ａ〜４０ｃ…ボルト
４２ａ、４２ｂ、７４、１００ａ〜１００ｅ…係合板
４４ａ、４４ｂ…ブラケット
５０…クッション部材
５２…脚部
５４ａ、５４ｂ、７８ａ、７８ｂ、１０６、１０８…切欠部
６２ｃ、６２ｄ、８４ｃ〜８４ｆ…シート部
７２、１００ａ〜１００ｃ…支持柱
【図１】
2014095247.tif 000003
【図２】
2014095247.tif 000004
【図３】
2014095247.tif 000005
【図４】
2014095247.tif 000006
【図５】
2014095247.tif 000007
【図６】
2014095247.tif 000008